(57)【要約】      （修正有）【課題】魚がブレードに食いついても破損しにくいルアーを提供する。【解決手段】ルアー１は、ルアー本体２と、フック１１と、ブレードユニット２１と、を備える。当該フック１１は、棒状の胴部１１ａと、当該胴部１１ａの先端に形成された湾曲部１１ｂと、当該胴部１１ａの根元端に形成されたフック用アイと、を有し、当該フック用アイ３を介して前記ルアー本体２に取り付けられる。当該ブレードユニット２１は、当該フック用アイ３に係脱可能に係止される係止部２１ｂと、当該係止部２１ｂを介して当該フック用アイ３に取り付けられるブレード２１ａと、を有する。当該係止部２１ｂは、ルアー本体２に形成された本体用アイ５に係止されてもよい。【選択図】図１
2018102185.tif 000002
【特許請求の範囲】
【請求項１】
ルアー本体と、
棒状の胴部と、当該胴部の先端に形成された湾曲部と、当該胴部の根元端に形成されたフック用アイと、を有し、当該フック用アイを介して前記ルアー本体に取り付けられたフックと、
前記フック用アイに係脱可能に係止される係止部と、前記係止部を介して前記フック用アイに取り付けられるブレードと、を有するブレードユニットと、
を備えるルアー。
【請求項２】
本体用アイを有するルアー本体と、
棒状の胴部と、当該胴部の先端に形成された湾曲部と、当該胴部の根元端に形成されており前記本体用アイに連結されるフック用アイと、を有し、前記フック用アイ及び前記本体用アイを介して前記ルアー本体に取り付けられたフックと、
前記本体用アイに係脱可能に係止される係止部と、前記係止部を介して前記本体用アイに取り付けられるブレードと、を有するブレードユニットと、
を備えるルアー。
【請求項３】
ルアー本体と、
棒状の胴部と、当該胴部の先端に形成された湾曲部と、当該胴部の根元端に形成されたフック用アイと、を有するフックと、
前記フックと前記ルアー本体とを連結する連結部材と、
前記フック用アイに係脱可能に係止される係止部と、前記係止部を介して前記フック用アイに取り付けられるブレードと、を有するブレードユニットと、
を備えるルアー。
【請求項４】
前記係止部は、前記フック用アイ又は前記本体用アイに係脱可能なフック状に形成される、請求項１から請求項３のいずれか１項に記載のルアー。
【請求項５】
前記ブレードユニットは、前記係止部から前記胴部と平行な方向に延伸する第１の軸部と、前記第１の軸部の前端から前記第１の軸部に対して傾斜する方向に延伸する傾斜部と、前記傾斜部の前端から前記第１の軸部と平行な方向に延伸する第２の軸部と、をさらに備え、
前記ブレードは、前記第２の軸部の周りで回転可能に設けられ、
前記第２の軸部の軸線が前記胴部の軸線と一致するように形成され、
請求項１ないし請求項４のいずれか１項に記載のルアー。
【請求項６】
前記胴部の軸線と前記第１の軸部の軸線とが平行となるように、前記胴部の少なくとも一部及び前記第１の軸部の少なくとも一部を覆う中空のチューブをさらに備える、請求項５に記載のルアー。
【請求項７】
前記チューブは弾性体から成る請求項６に記載のルアー。
【請求項８】
前記フックは、シングルフック、ダブルフック、又はトリプルフックである、請求項１ないし請求項７のいずれか１項に記載のルアー。
【発明の詳細な説明】
【技術分野】
【０００１】
本発明は、魚釣用のルアーに関する。本発明は、より具体的には、集魚効果のあるブレードを備えた魚釣用のルアーに関する。
【背景技術】
【０００２】
従来から、小魚等の餌に似せたルアー本体に魚を掛けるためのフックが取り付けられたルアーが知られている。
【０００３】
この種のルアーとして、特開２００８−０５４５２３号公報、登録実用新案第３１３３６９９号公報、及び登録実用新案第３１４５５８７号公報に開示されているように、フックに集魚効果がある金属製のブレードを取り付けたものが知られている。このブレードは、ルアー本体に対して回転可能に取り付けられる。この種のルアーでは、ブレードからの反射光やブレードが生じさせる振動が魚を惹きつけると考えられている。
【先行技術文献】
【特許文献】
【０００４】
【特許文献１】特開２００８−０５４５２３号公報
【特許文献２】登録実用新案第３１３３６９９号公報
【特許文献３】登録実用新案第３１４５５８７号公報
【発明の概要】
【発明が解決しようとする課題】
【０００５】
特許文献１及び特許文献２に記載されているように、従来のルアーにおいて、ブレードは、フックに接着等により固定されている。よって、フックが破損したときに、当該フックに固定されているブレードも交換しなければならない。
【０００６】
また、特許文献２に記載されているように、端部にブレードが取り付けられた棒状の軸体をフックの軸部に平行に取り付けると、ブレードの回転軸がフックの軸部に対してずれてしまう。これにより、ブレードがフックと干渉しやすくなる。
【０００７】
ブレードをフックに連結するさらに別の機構として、特許文献３には、ブレードをアタッチメントを介してルアー本体に取り付ける機構が開示されている。このアタッチメントには支持板が形成されており、ブレードはこの支持板に取り付けられる。よって、魚がブレードに食いついたときには、この支持板に対して大きな力が作用するため、当該アタッチメントの支持板が破損しやすい。
【０００８】
本発明の目的は、従来のブレード付きルアーにおける上述した問題を解決又は緩和することである。本発明の具体的な目的の一つは、魚がブレードに食いついても破損しにくいルアーを提供することである。
【０００９】
本発明の別の目的は、フックが破損したときにブレードを再利用可能とすることである。
【００１０】
本発明のさらに別の目的は、ブレードのフックに対する干渉を抑制できるルアーを提供することである。
【００１１】
本発明の上記以外の目的は、本明細書全体を参照することにより明らかとなる。
【課題を解決するための手段】
【００１２】
本発明の一実施形態に係るルアーは、ルアー本体と、フックと、ブレードユニットと、を備える。本発明の一実施形態において、前記フックは、棒状の胴部と、当該胴部の先端に形成された湾曲部と、当該胴部の根元端に形成されたフック用アイと、を有し、当該フック用アイを介して前記ルアー本体に取り付けられる。本発明の一実施形態において、前記ブレードユニットは、前記フック用アイに係脱可能に係止される係止部と、前記係止部を介して前記フック用アイに取り付けられるブレードと、を有する。本発明の一実施形態において、当該係止部は、前記フック用アイに係脱可能なフック状に形成される。
【００１３】
当該実施形態によれば、ブレードが係止部を介してフック用アイに係止される。フック用アイは、魚がフックを強く引いても耐えられる強度を有するので、魚がブレードを引っ張った場合であっても破損しない。また、ブレードユニットがフック用アイに係脱可能に係止されているので、フックが破損したときにブレードを再利用できる。
【００１４】
本発明の他の実施形態に係るルアーは、本体用アイを有するルアー本体と、フックと、ブレードユニットと、を備える。本発明の一実施形態において、前記フックは、棒状の胴部と、当該胴部の先端に形成された湾曲部と、当該胴部の根元端に形成されており前記本体用アイに連結されるフック用アイと、を有し、前記フック用アイ及び前記本体用アイを介して前記ルアー本体に取り付けられる。本発明の一実施形態において、前記ブレードユニットは、前記本体用アイに係脱可能に係止される係止部と、前記係止部を介して前記本体用アイに取り付けられるブレードと、を有する。本発明の一実施形態において、当該係止部は、前記本体用アイに係脱可能なフック状に形成される。
【００１５】
当該実施形態によれば、ブレードが係止部を介して本体用アイに係止される。本体用アイは、魚がフックを強く引いても耐えられる強度を有するので、魚がブレードを引っ張った場合であっても破損しない。また、ブレードユニットが本体用アイに係脱可能に係止されているので、フックが破損したときにブレードを再利用できる。
【００１６】
本発明の他の実施形態に係るルアーは、本体用アイを有するルアー本体と、フックと、前記フックと前記ルアー本体とを連結する連結部材と、ブレードユニットと、を備える。本発明の一実施形態において、前記フックは、棒状の胴部と、当該胴部の先端に形成された湾曲部と、当該胴部の根元端に形成されており前記本体用アイに連結されるフック用アイと、を有する。本発明の一実施形態において、前記ブレードユニットは、前記連結部材に係脱可能に係止される係止部と、前記係止部を介して前記本体用アイに取り付けられるブレードと、を有する。本発明の一実施形態において、当該係止部は、前記本体用アイに係脱可能なフック状に形成される。
【００１７】
当該実施形態によれば、ブレードが係止部を介して、ルアー本体とフックとを連結する連結部材に係止される。当該連結部材は、魚がフックを強く引いても耐えられる強度を有するので、魚がブレードを引っ張った場合であっても破損しない。また、ブレードユニットが本体用アイに係脱可能に係止されているので、フックが破損したときにブレードを再利用できる。
【００１８】
本発明の一実施形態において、前記ブレードユニットは、前記係止部から前記胴部と平行な方向に延伸する第１の軸部と、前記第１の軸部の前端から前記第１の軸部に対して傾斜する方向に延伸する傾斜部と、前記傾斜部の前端から前記第１の軸部と平行な方向に延伸する第２の軸部と、をさらに備える。前記ブレードは、前記第２の軸部の周りで回転可能に設けられる。例えば、当該ブレードは、当該第２の軸部の周りで回転可能となるように、スイベルを介して前記第２の軸部に取り付けられる。また、当該ブレードユニットは、前記第２の軸部の軸方向が前記胴部の軸方向と一致するように形成される。
【００１９】
当該実施形態によれば、ブレードが取り付けられる第２の軸部がフックの胴部と同軸に設けられるため、当該ブレードがフックの胴部の周りで回転する。よって、ブレードが回転時にフックの湾曲部と干渉することを抑制できる。
【００２０】
本発明の一実施形態に係るルアーは、前記胴部の軸線と前記第１の軸部の軸線とが平行となるように、前記胴部の少なくとも一部及び前記第１の軸部の少なくとも一部を覆う中空のチューブをさらに備える。一実施形態において、当該チューブは弾性体から成る。
【００２１】
当該実施形態によれば、フックの胴部の少なくとも一部とブレードユニットの第１の軸部の少なくとも一部とがいずれもチューブに覆われているため、当該フックに対して当該ブレードユニットを一定の姿勢に保つことができる。
【発明の効果】
【００２２】
本発明の実施形態によって、魚がブレードに食いついても破損しにくいルアーが提供される。
【図面の簡単な説明】
【００２３】
【図１】本発明の一実施形態に係るルアーを模式的に示す正面図である。
【図２】図１のルアーのフック、ブレードユニット、及びチューブを示す模式図である。
【図３】図１のルアーの組み立て工程の一部を示す模式図である。
【図４】図１のルアーの組み立て工程の一部を示す模式図である。
【図５】本発明の他の実施形態に係るルアーを模式的に示す正面図である。
【発明を実施するための形態】
【００２４】
以下、適宜図面を参照し、本発明の様々な実施形態を説明する。なお、各図面において共通する構成要素に対しては同一の参照符号が付されている。各図面は、説明の便宜上、必ずしも正確な縮尺で記載されているとは限らない点に留意されたい。
【００２５】
図１は、本発明の一実施形態に係るルアー１の外観図である。図示の実施形態において、ルアー１は、ルアー本体２と、魚を掛けるフック１１と、魚を惹きつけるブレード２１ａを有するブレードユニット２１と、を備える。
【００２６】
本発明の一実施形態において、ルアー本体２は、例えば、魚の餌に似せた形状に形成される。図示の例において、ルアー本体２は、小魚に似た形状を有している。ルアー本体２の後端にはアイ３が設けられ、ルアー本体２の前端にはアイ５が設けられている。アイ３，５は、例えば、金属製のリングである。アイ３，５は、従来のルアーに設けられているアイと同様に、フック１１に掛かった魚が暴れた場合でも破損しない程度の強度を有する。
【００２７】
アイ５には、釣糸６が繋留される。釣糸６としては、釣種に応じた任意の釣糸を用いることができる。アイ３には、連結部材を介してフック１１が連結される。図示の実施形態では、連結部材としてリング４を用いている。リング４は、例えば、金属製のリングであり、アイ３とほぼ同径に形成される。本明細書においては、ルアー本体２に設けられたアイを「本体用アイ」と呼ぶことがある。図示したルアー本体２は例示に過ぎず、本発明に適用可能なルアー本体は図示したものに限られない。
【００２８】
図示したフック１１は、３本のフックを接合して構成されたトリプルフックである。この３本のフックの各々は、棒状の胴部１１ａと、この胴部１１ａの先端から延伸する湾曲した湾曲部１１ｂと、を有する。この３本のフックは、各々の胴部１１ａが互いと平行になるように配置されている。この３本のフックは、各々の胴部１１ａにおいて互いと接合されている。３本のフックの各々の胴部１１ａは、例えばはんだ付け、熱溶着、及びこれら以外の公知の任意の手法で互いと接合される。
【００２９】
フック１１の３本のフックのうち１本の胴部１１ａの根元端には、アイ１１ｃが形成されている。フック１１は、このアイ１１ｃとルアー本体２のアイ３とをリング４で連結することにより、ルアー本体２に取り付けられる。本明細書においては、フック１１に設けられたアイを「フック用アイ」と呼ぶことがある。フック１１としては、本発明の趣旨に反しない限り、任意の公知の魚釣り用のフックを用いることができる。例えば、図示したトリプルフック以外に、１本のフックから成るシングルフック、又は、２本のフックから成るダブルフックをフック１１として用いることができる。アイ１１ｃは、従来の釣り用のフックにおけるアイと同様に、フック１１に掛かった魚が暴れた場合でも破損しない程度の強度を有する。
【００３０】
アイ１１ｃには、ブレード２１ａを含むブレードユニット２１が取り付けられる。ブレード２１ａは、例えば、金属製の板状の部材である。ブレード２１ａの表面には、光を乱反射するように、多数の凹凸が形成されていてもよい。ブレード２１ａは、ルアー本体２に対して回転可能に取り付けられる。ブレード２１ａからの反射光やブレード２１ａが生じさせる振動により、魚はブレード２１ａに惹きつけられると考えられている。すなわち、ブレード２１ａは集魚効果を有する。
【００３１】
次に、図２を参照して、ブレードユニット２１についてさらに説明する。ブレードユニット２１は、そのブレード２１ａと反対側の端に、フック１１のアイ１１ｃに係脱可能に係止される係止部２１ｂを有する。図示の実施形態において、係止部２１ｂは、フック状に形成される。図示した係止部２１ｂの形状は例示であり、本発明に適用可能な係止部２１ｂの形状はフック状に限定されない。本発明に適用可能な係止部２１ｂは、フック１１のアイ１１ｃと係脱可能に形成されていればよい。本明細書においては、ブレードユニット２１の方向に言及する際、便宜上、ブレード２１ａに向かう方向を「前」といい、係止部２１ｂに向かう方向を「後」という。この用法に従って、ブレード２１の部材のうちブレード２１ａに近い側の端を「前端」といい、係止部２１ｂに近い側の端を「後端」という。
【００３２】
ブレードユニット２１は、ブレード２１ａ及び係止部２１ｂに加えて、係止部２１ｂの前端から胴部１１ａと平行な方向において前方へ延伸する第１の軸部２１ｃと、第１の軸部２１ｃの前端から第１の軸部２１ｃに対して傾斜する方向において前方へ延伸する傾斜部２１ｄと、傾斜部２１ｄの前端から第１の軸部２１ｃと平行な方向において前方へ延伸する第２の軸部２１ｅと、第２の軸部２１ｅの前端に設けられたスイベル２１ｆと、スイベル２１ｆの前端に設けられたアイ２１ｇと、アイ２１ｇに挿通されたリング２１ｈと、を有する。リング２１ｈは、ブレード２１ａに形成された貫通孔にも挿通されている。これにより、リング２１ｈは、アイ２１ｇとブレード２１ａとを連結する。係止部２１ｂ、第１の軸部２１ｃ、傾斜部２１ｄ、及び第２の軸部２１ｅは、一本の金属製の棒状の部材を折り曲げることにより形成可能である。
【００３３】
上述のように、スイベル２１ｆの後端には第２の軸部２１ｅが接続され、スイベル２１ｆの前端にはアイ２１ｇ及びリング２１ｈを介してブレード２１ａが接続されているので、ブレード２１ａは、第２の軸部２１ｅに対してその軸線の周りを回転可能に支持されている。係止部２１ｂがアイ１１ｃに係止され、また、傾斜部２１ｄがフック１１のうち２本のフックの間に挟まれているので、ブレードユニット２１のうち係止部２１ｂから第２の軸部２１ｅに至る部位（スイベル２１ｆよりも後ろ側の部位）はフック１１に対して回転しない。
【００３４】
本発明の一実施形態において、ブレードユニット２１は、第１の軸部２１ｃと第２の軸部２１ｅとの間に傾斜部２１ｄを設けることにより、第２の軸部２１ｅの軸線がフック１１の胴部１１ａの軸線と一致するように形成されている。フック１１がトリプルフックの場合には、「フック１１の胴部１１ａの軸線」は、当該３本のフックの各々の胴部１１ａの軸線のいずれからも等距離にある仮想線を意味する。フック１１の各フックの胴部１１ａの軸線は、当該胴部１１ａのほぼ中心を貫通する線である。かかる配置により、第２の軸部２１ｅの軸線の周りを回転するブレード２１ａは、３本のフックのうちのいずれからも等距離にある回転軸の周りを回転することになるので、ブレード２１ａとフック１１との干渉を低減することができる。胴部１１ａの軸線を定める文脈において「等距離」という場合には、当業者に自明なように、数学的に厳密な意味での距離が等しいことは要求されない。フック１１がダブルフックの場合には、「フック１１の胴部１１ａの軸線」は、当該ダブルフックの２本のフックの各々の胴部１１ａの軸線のいずれからも等距離にある仮想線を意味する。フック１１が４本以上のフックから成る場合にも同様の考えで「フック１１の胴部１１ａの軸線」を定めることができる。フック１１がシングルフックの場合には、「フック１１の胴部１１ａの軸線」は、当該シングルフックの１本のフックの胴部１１ａの軸線のを意味する。
【００３５】
本発明の一実施形態において、ルアー１は、中空のチューブ３１を備える。このチューブ３１は、弾性体から形成される。チューブ３１は、例えばポリエチレン等の柔軟性のある樹脂から形成される。
【００３６】
チューブ３１は、図２に示すように、フック１１の胴部１１ａの少なくとも一部及びブレードユニット２１の第１の軸部２１ｃの少なくとも一部を覆うように配置される。また、チューブ３１は、チューブ３１が胴部１１ａ及び第１の軸部２１ｃを覆うように装着されたときに、当該胴部１１ａと当該第１の軸部２１ｃとが互いと平行な姿勢を保つことができる程度の内径（内周面の径）及び長さ（胴部１１ａの軸線方向の長さ）を有する。これにより、チューブ３１が装着されると、フック１１に対してブレードユニット２１の少なくとも第１の軸部２１ｃ、傾斜部２１ｄ、及び痔亜２の軸部２１ｅが一定の姿勢を保つことができる。具体的には、チューブ３１によってブレードユニット２１をフック１１に固定することにより、ブレードユニット２１の第１の軸部２１ｃがフック１１の胴部１１ａと平行であり、また、第２の軸部２１ｅの軸線が当該胴部１１ａの軸線と一致する姿勢を保つように、ブレードユニット２１がフック１１に対して保持される。
【００３７】
次に、図３及び図４を参照して、ルアー１の組み立て工程の概略を説明する。図３に示すように、まずフック１１及びブレードユニット２１を準備する。そして、図４に示すように、ブレードユニット２１の係止部２１ｂをフック１１のアイ１１ｃに挿通させる。そして、チューブ３１を準備する。
【００３８】
次に、連結されたフック１１及びブレードユニット２１をチューブ３１を装着する。具体的には、フック１１及びブレード２１を、フック１１の胴部１１ａ及びブレードユニット２１の第１の軸部２１ｃの少なくとも一部がチューブ３１によって覆われる位置まで、チューブ３１内に押し込む。ブレードユニット２１の第１の軸部２１ｃ以外の部分（例えば、係止部２１ｂ、傾斜部２１ｄ、及び第２の軸部２１ｅ）の少なくとも一部がチューブ３１によって覆われていてもよい。これにより、図２に示すように、チューブ３１によってブレードユニット２１がフック１１に押しつけられる。
【００３９】
次に、フック１１のアイ１１ｃとルアー本体２のアイ３とをリング４で連結することにより、図１に示すルアー１が完成する。
【００４０】
以上説明したルアー１においては、ブレード２１ａが係止部２１ｂを介してアイ１１ｃに係止される。アイ１１ｃは、魚がフック１１を強く引いても耐えられる強度に形成されているので、魚がブレード２１ａを強く引いた場合であっても破損しない。また、ブレードユニット２１がフック１１のアイ１１ｃに係脱可能に係止されているので、フック１１が破損したときにブレードユニット２１を再利用できる。
【００４１】
次に、図５を参照して、本発明の他の実施形態に係るルアー１０１について説明する。図５に示すように、ルアー１０１においては、ブレードユニット２１の係止部２１ｂがフック１１のアイ１１ｃではなく、ルアー本体２のアイ３に係止されている点で、ルアー１と異なる。
【００４２】
アイ３もアイ１１ｃと同様に、魚がフック１１を強く引いても耐えられる強度に形成されているので、魚がブレード２１ａを強く引いた場合であっても破損しない。また、ブレードユニット２１がルアー本体２のアイ３に係脱可能に係止されているので、フック１１が破損したときにブレードユニット２１を再利用できる。
【００４３】
本発明のさらに他の実施形態において、ブレードユニット２１の係止部２１ｂは、リング４に係脱可能に取り付けられてもよい。リング４は、アイ３やアイ１１ｃと同様に、魚がフック１１を強く引いても耐えられる強度に形成されているので、魚がブレード２１ａを強く引いた場合であっても破損しない。また、ブレードユニット２１がリング４に係脱可能に係止されているので、フック１１が破損したときでもブレードユニット２１を再利用できる。
【００４４】
本明細書で説明された各構成要素の寸法、材料、及び配置は、実施形態中で明示的に説明されたものに限定されず、この各構成要素は、本発明の範囲に含まれうる任意の寸法、材料、及び配置を有するように変形することができる。また、本明細書において明示的に説明していない構成要素を、説明した実施形態に付加することもできるし、各実施形態において説明した構成要素の一部を省略することもできる。
【符号の説明】
【００４５】
１，１０１  ルアー
２  ルアー本体
３，５  アイ（本体用アイ）
１１  フック
１１ａ  胴部
１１ｂ  湾曲部
２１  ブレードユニット
２１ａ  ブレード
２１ｂ  係止部
２１ｃ  第１の軸部
２１ｄ  傾斜部
２１ｅ  第２の軸部
２１ｆ  スイベル
３１  チューブ
【図１】
2018102185.tif 000003
【図２】
2018102185.tif 000004
【図３】
2018102185.tif 000005
【図４】
2018102185.tif 000006
【図５】
2018102185.tif 000007